(57)【特許請求の範囲】
【請求項１】
複数の画素領域を有する表示単位領域が複数配列された表示装置であって、
前記複数の画素領域ごとに形成されたエレクトロルミネッセンス素子を形成する発光層と、
前記複数の画素領域ごとに形成され、対応する画素領域に形成された前記発光層を個別に発光駆動する駆動素子と、を備え、
前記表示単位領域の各々は、４つの前記画素領域ごとに形成された発光層として、第１の発光色を発光する２つの第１発光層と、前記第１の発光色とは異なる第２の発光色を発光する１つの第２発光層と、前記第１の発光色及び前記第２の発光色と異なる１つの第３の発光色を発光する第３発光層とを有し、
複数の前記表示単位領域のうち
複数の前記表示単位領域の内の１つである第１表示単位領域における２つの前記第１発光層と、複数の前記表示単位領域の内の１つである第２表示単位領域における２つの前記第１発光層とが４つ連続して配置されないように配置され、
前記複数の画素領域の各々はすべて同じ形状であり、
前記発光層は、前記発光色に応じた発光材料を含む機能液が、前記複数の画素領域にそれぞれ塗布されて形成されることを特徴とする表示装置。
【請求項２】
請求項１に記載の表示装置を備えた電子機器。
【発明の詳細な説明】
【技術分野】
【０００１】
本発明は、表示装置および当該表示装置を備えた電子機器に関し、特に、所定の配列に区画された複数の画素領域を有する表示単位領域が複数設けられた表示装置に関する。
【背景技術】
【０００２】
近年、薄型の自発光素子であるエレクトロルミネッセンス素子（ＥＬ素子）を表示素子として用いた表示装置が多く使われるようになってきた。ＥＬ素子は、発光材料によって形成された発光層に電流を流すことによって、所望する明るさの発光光を射出するものである。このとき、発光材料に依存して、形成された発光層の表示特性に差異が生じてしまう課題がある。例えば、発光色の異なる発光材料間において、表示特性として発光効率が異なる場合がある。このような場合は、発光効率の悪い発光色の発光層に対して、輝度を上げるために大きな電流を流すことで、他の発光色とのホワイトバランスをとる必要がある。しかしながら、このように大きな電流を流すと、発光寿命が短くなってしまうという問題が生じる。
【０００３】
そこで、例えば特許文献１には、発光効率の最も良い発光色の発光領域面積を最も小さくすることによって、発光寿命の長寿命化を図り、容易にホワイトバランスをとる技術が開示されている。
【０００４】
【特許文献１】特開２００５−１６６６９１号公報
【発明の開示】
【発明が解決しようとする課題】
【０００５】
しかしながら、特許文献１に開示された技術では、発光効率の良い発光領域の面積を少なくするために、表示装置全体の輝度が低下する課題がある。また、ＥＬ素子の発光層を機能液の塗布および乾燥によって形成する場合は、機能液を塗布する発光領域の面積が異なるために乾燥条件が同一にならず、各発光色について形成される発光層の厚さを均一に形成することが難しいという課題がある。この結果、発光層の厚さの違いに起因して、各発光色について所望の明るさ（輝度）を得ることが困難になってしまうことになる。
【課題を解決するための手段】
【０００６】
本発明は、上述の課題の少なくとも一部を解決するためになされたものであり、以下の形態または適用例として実現することが可能である。
【０００７】
［適用例１］複数の画素領域を有する表示単位領域が複数配列された表示装置であって、前記複数の画素領域ごとに形成された発光層と、前記複数の画素領域ごとに形成され、対応する画素領域に形成された前記発光層を個別に発光駆動する駆動素子と、を備え、前記表示単位領域の各々は、前記複数の画素領域ごとに形成された発光層として、第１の発光色を発光する第１発光層を複数有し、複数の前記表示単位領域の内の１つである第１表示単位領域における複数の前記第１発光層の配置位置と、複数の前記表示単位領域の内の１つである第２表示単位領域における複数の前記第１発光層の配置位置と、は異なることを特徴とする。
【０００８】
この構成によれば、１つの発光色について、複数の発光層を形成し、それぞれの発光層について個別に発光駆動することができる。従って、例えば発光効率が低い発光色を１つの発光色とし、この１つの発光色を発光する発光層が複数になることによって同一電流に対して増加する発光輝度を、駆動素子によって印加する電流を個別に抑制すれば、１つの表示単位領域における各発光色の輝度を補正してホワイトバランスを容易にとることができる。また、印加電流を増加せず抑制するので、発光層の発光寿命が短くなることも回避できる。
【０００９】
また、複数形成した１つの発光色の発光層の配置位置を、隣り合う表示単位領域間で異なるようにするので、１つの発光色の配置パターンを不規則なパターンとすることができる。この結果、各発光色の位置が表示装置においてランダムになり、表示装置が表示する画像について表示ムラが抑制できるという効果を奏する。
【００１０】
［適用例２］上記表示装置であって、前記表示単位領域の各々は、前記複数の画素領域ごとに形成された発光層として、第２の発光色を発光する第２発光層と第３の発光色を発光する第３発光層とをそれぞれ１つ以上有し、前記表示単位領域において、前記第１発光層の数と、前記第２発光層の数と、前記第３発光層の数とは、それぞれ異なる数であることを特徴とする。
【００１１】
一般的に発光層の発光効率は、発光色に依存する。すなわち、発光色が異なる発光材料によって発光層が形成された画素領域は、異なる発光材料に起因して互いに発光色の発光効率が異なることになる。このため、表示単位領域においてホワイトバランスが悪くなってしまう。そこで、発光色に応じて画素領域の数を異ならしめることによって発光輝度を補正することができるので、１つの表示単位領域においてホワイトバランスを改善することができる。
【００１２】
［適用例３］上記表示装置であって、前記複数の画素領域の各々は、ほぼ同じ面積を有し、前記発光層は、前記発光色に応じた発光材料を含む機能液が、前記複数の画素領域にそれぞれ塗布されて形成されることを特徴とする。
【００１３】
こうすれば、ほぼ同じ面積を有する画素領域に対して発光材料を含む機能液を塗布することによって発光層を形成するので、機能液の塗布量が同じであれば、ほぼ同じ厚さの発光層を形成することができる。この結果、形成される各発光層の位置が表示単位領域において異なる位置であっても、形成される発光層の厚さをほぼ同じにすることができる。従って、総ての表示単位領域において、形成される各発光層の表示特性を同じにすることができるので、例えば、表示単位領域間で同じようにしてホワイトバランスを補正することができることになる。
【００１４】
［適用例４］上記表示装置であって、前記複数の画素領域は、すべて同じ形状であることを特徴とする。
【００１５】
画素領域が、総て同じ形状であれば、個々の画素領域において発光層は常に同じ条件で形成される。従って、同じ発光色の発光層が形成される複数の画素領域の配置位置が、表示単位領域間で異なっていても、形成される発光層の表示特性は同じになる。この結果、例えば、総ての表示単位領域において、複数形成される発光色の発光層についての発光輝度を総て同じになるように形成することができる。
【００１６】
［適用例５］上記表示装置であって、前記発光層は、エレクトロルミネッセンス素子を形成する発光層であることを特徴とする。
【００１７】
エレクトロルミネッセンス素子は、形成された発光層に流す電流を駆動素子によって制御すれば、発光輝度を制御することができる。従って、ホワイトバランスを容易に補正できる素子として好適である。
【００１８】
［適用例６］上記適用例のいずれか一つに記載の表示装置を備えた電子機器としてもよい。
【００１９】
上記の適用例に記載した表示装置によれば、ホワイトバランスのよい長寿命の表示装置を得ることができるので、この表示装置を備えることによって、安定した画像を長時間表示できる電子機器を提供することができる。
【発明を実施するための最良の形態】
【００２０】
以下、本発明を実施例に基づいて説明する。図１は、本発明の一実施例となる表示装置１００を搭載した電子機器としての携帯電話１を示した説明図である。本実施例の表示装置１００は、エレクトロルミネッセンス素子としての有機ＥＬ素子を表示素子とするものであり、バックライトが不要で薄型化が可能であることから、画像や文字を表示する薄型の電子機器には好適な表示装置である。従って、本実施例の如く、携帯電話に搭載する表示装置として有効である。
【００２１】
表示装置１００には、Ｒ（レッド）、Ｇ（グリーン）、Ｂ（ブルー）のうちいずれか１色を発光可能な画素がそれぞれ複数形成され、画像や文字などの所定のカラー画像を表示するように構成されている。なお、本実施例では、以降の説明を簡単にするために、図１に示すように、表示装置１００は、列方向（図面縦方向）に４画素、行方向（図面横方向）に６画素の計２４個の画素が形成されているものとする。もとより、実際には、行列それぞれの方向に数百画素といった多くの画素が形成されていることは言うまでもない。
【００２２】
次に、本実施例の表示装置１００について、その表示原理を図２を用いて、また表示素子となる有機ＥＬ素子の構造を図３を用いて、順次説明する。
【００２３】
図２は、表示装置１００の全体のレイアウトを回路構成とともに示した模式図である。表示装置１００は、図示するように画素ごとに表示駆動されるアクティブマトリックス型の装置である。各画素はバンクによって長円形状に区画された領域を有し、基板１０の中央部分に行方向および列方向に規則正しく配列され、基板１０上に形成されている。もとより、各画素はバンクによって長円形状以外の形状に区画されてもよいことは勿論である。
【００２４】
各画素には、有機ＥＬ素子が表示素子として、また、有機ＥＬ素子を表示（つまり発光）駆動するためのＴＦＴ（薄膜トランジスタ）１４，１５と保持容量１６とが駆動素子として、それぞれ形成されている。なお、本実施例では有機ＥＬ素子はトップエミッション構造を有しているものとする。従って、駆動素子は表示素子と平面的に重なる位置であって、基板１０と表示素子との間に形成されている。
【００２５】
基板１０の外周部分には、走査駆動回路１１とデータ駆動回路１２、および給電端子１３とが形成されている。走査駆動回路１１からは走査線Ｇａｔｅが、データ駆動回路１２からはデータ線Ｓｉｇが、また、給電端子１３からはこれに接続された電源供給線Ｃｏｍが、それぞれ各画素に形成された駆動素子に対して図２に示したように配線され、表示素子を発光駆動する。
【００２６】
まず、走査線Ｇａｔｅは、ＴＦＴ１４のゲートに接続され、走査線Ｇａｔｅを介して供給される電流信号に応じて、ＴＦＴ１４をオン／オフ制御する。そしてＴＦＴ１４がオンすると、ＴＦＴ１４のソースに接続されたデータ線Ｓｉｇから供給される画像信号に応じて、電源供給線Ｃｏｍから供給される電源によって保持容量１６に所定の電圧が保持される。すると、保持容量１６に保持された電圧は、ＴＦＴ１５のゲートに印加され、ＴＦＴ１５をオン状態にする。ＴＦＴ１５のソースおよびドレインはそれぞれ電源供給線Ｃｏｍと陽極１２０に接続され、保持容量１６に保持された電圧に応じた、つまり画像信号に応じた電流が、電源供給線Ｃｏｍを介して陽極１２０に印加される。
【００２７】
各画素に形成される表示素子は、陽極１２０と陰極１８０（図３参照）との間に電流を流すことによって発光する。従って、陽極１２０に印加された電流が、総ての画素の表面に渡って形成された陰極１８０（不図示）に流れることによって、画像信号に応じた明るさで発光する。表示装置１００は、こうして画像を表示する。
【００２８】
次に、表示装置における具体的な画素構成について図３を用いて説明する。図３は、表示装置１００におけるＲ画素、Ｇ画素、Ｂ画素の各画素が有する機能層の構成を示す模式図である。図３（ａ）は、図２に示した各画素のうち、行方向（図面横方向）にＲ画素、Ｇ画素、Ｂ画素が並んだ表示部分を示した平面図であり、図３（ｂ）は、図３（ａ）におけるＡ−Ａ断面を示した模式断面図で、有機ＥＬ素子の形成が終了した状態を示している。また、図３（ｃ）は、有機ＥＬ素子の機能層を機能液の噴射によって塗布して形成する様子を示した模式図である。なお、各寸法は、説明の都合上必要に応じて誇張しているため、実際の寸法とは必ずしも一致していないことは言うまでもない。
【００２９】
各画素は、図３（ａ）に示したように、エッチングによって形成された絶縁有機材料（例えばアクリル樹脂やポリイミド樹脂）からなるバンク（図中ハッチング部分）によって区画された画素領域を有し、それぞれ長円形状を呈している。そして各画素の画素領域には、Ｒ、Ｇ、Ｂのうちいずれか１色を発光可能な表示素子が形成されている。
【００３０】
また、有機ＥＬ素子は、図３（ｂ）に示したように、陽極１２０と陰極１８０との間に、正孔注入層１４０と発光層（Ｒ発光層１５０、Ｇ発光層１６０、Ｂ発光層１７０のいずれか）とが形成されたものである。従って、形成される発光層が異なることによって、それぞれ発光色の異なるＲ画素、Ｇ画素、Ｂ画素となる。
【００３１】
本実施例では、正孔注入層１４０は、ＰＥＤＯＴ（ポリエチレンジオキシチオフェン）／ＰＳＳ（ポリスチレンスルフォン酸）用機能液（ＰＥＤＯＴ：ＰＳＳ重量比＝１：５０、固形分濃度０．５％、溶媒：ジエチレングリコール５０％、残量純水）を画素領域に噴射後、真空乾燥および熱処理（２００℃、１０分間）を行い、５０ｎｍの厚さのＰＥＤＯＴ／ＰＳＳ膜を形成したものである。また、各発光層は、Ｒ、Ｇ、Ｂのいずれかの色を示す蛍光材料を溶質とし、シクロヘキシルベンゼン１００％を溶媒とした機能液を、各画素領域における機能液の重量が同じになるように噴射し、以降真空乾燥および窒素雰囲気中での熱処理（１３０℃、１時間）を行って、それぞれ１００ｎｍの厚さの膜を形成したものである。
【００３２】
バンクと陽極１２０との間には、長円形状の画素領域の外周に沿って所定幅が画素領域内に露出するように、無機絶縁膜１３０が形成されている。これは、正孔注入層１４０や各発光層（１５０，１６０，１７０）を形成する機能液との親液性を高め、正孔注入層１４０や各発光層（１５０，１６０，１７０）がバンク近傍まで形成されることによって、陽極１２０と陰極１８０との短絡を防止するようにするためである。もとより、正孔注入層１４０や各発光層（１５０，１６０，１７０）がバンク近傍まで形成できる場合は、無機絶縁膜１３０は形成する必要はない。
【００３３】
また、本実施例の表示素子は、トップエミッション方式の有機ＥＬ素子であることから、発光光が陰極１８０側から射出するように、陽極１２０の基板１０と対向する面側には、反射層１１０が形成されている。もとより、陽極１２０が反射層１１０を兼ねる場合は、反射層１１０を形成する必要はない。
【００３４】
反射層１１０としては、例えばＡｌが好適である。陽極１２０としては、ＩＴＯ（酸化インジウムスズ）のように光透過性のある材料に限らず、酸化錫や金、銀、銅などの非光透過性の材料であっても使用可能である。また、陰極１８０はＩＴＯなどの光透過性を有する材料で形成されている。もとより、金属材料であっても光が透過する程度に薄く形成されたものであれば陰極材料として使用してもよい。本実施例では、陰極１８０は電子注入層を兼ねており、ＬｉＦ（厚さ５ｎｍ）とＡｌ（厚さ５ｎｍ）を蒸着して形成したものである。
【００３５】
従って、本実施例においては、図３の説明からわかるように、有機ＥＬ素子は、例えばＧ画素であれば、反射層１１０、陽極１２０、正孔注入層１４０、Ｇ発光層１６０、陰極１８０の各機能層から構成される。なお、有機ＥＬ素子を形成する正孔注入層１４０や各発光層（１５０，１６０，１７０）など、各機能層に関する層の形成方法や、このような各機能層として使用可能な他の材料に関しては、本実施例の本質ではないので、ここでは説明を省略する。
【００３６】
ところで、前述したように表示素子を発光駆動するための駆動素子は、表示素子と平面的に重なる位置であって、基板１０と表示素子との間に形成されている。本実施例では、駆動素子であるＴＦＴ１４，１５や保持容量１６は、図３（ｂ）に示したように基板１０との間に位置し、表面全体が平坦化されたデバイス層２０の内部に形成されている。そして、ＴＦＴ１５のドレイン電極は、デバイス層２０において形成された図示しないスルーホールによって、各発光層の膜厚に影響を与えないように画素領域以外の部分において陽極１２０（または反射層１１０）と結線されている。なお、デバイス層２０については、各機能層に関する形成方法と同様、本実施例としての本質ではないので、具体的な説明を省略する。
【００３７】
本実施例では正孔注入層１４０と各発光層（１５０，１６０，１７０）について、それぞれ対応する画素領域に機能液を噴射して塗布することによって形成する。具体的には、図３（ｃ）に示したように、噴射ヘッドに設けられた不図示のノズルから、Ｒ、Ｇ、Ｂの各画素に対応するそれぞれの画素領域に機能液を噴射することによって、Ｒ、Ｇ、Ｂの各機能液を塗布する。その後、前述したように真空乾燥および窒素雰囲気中での熱処理を行うことによって各画素領域についての正孔注入層と発光層を形成するのである。ちなみに、図３（ｃ）は、噴射ヘッドからＧ機能液滴を噴射する状態を示している。
【００３８】
こうして、基板１０上に、Ｒ、Ｇ、Ｂの各画素に対応した有機ＥＬ素子が表示素子として形成される。もとより、本実施例では、前述したように正孔注入層を形成する機能液の材料は、Ｒ、Ｇ、Ｂ各画素について同じである。
【００３９】
さて、このように形成されたＲ、Ｇ、Ｂの各画素を有する表示装置について、通常、カラー画像を表示する場合、Ｒ、Ｇ、Ｂの各画素を１画素ずつ含む領域を、１つの表示単位領域として区分し、区分した１つの表示単位領域を、カラー画像を構成する１つの表示エレメントとすることが行われる。例えば、図３（ａ）に示したように、行方向に隣り合うように並んだＲ、Ｇ、Ｂの３つの画素を１つの表示単位領域とすることが行われる。このように表示単位領域を構成することによって、１つの表示単位領域は、色の混合（加色混合）によって所定のカラー表示を行う表示エレメントとして機能する。
【００４０】
実際、使用される発光材料は、Ｒ、Ｇ、Ｂによって異なるために、それぞれの発光材料に応じて、発光効率が異なる場合が多い。このような場合、発光効率が低い色の画素については、ホワイトバランスを保つように発光輝度を高めるために、印加する電流量を多くしなければならず、その結果、前述したように発光効率が低い画素について寿命が短くなるという課題が生じる。また、発光効率の異なる各色の表示画素の発光面積を同一とすると、各色の輝度の違いによる色バランス（ホワイトバランス）が取りにくく、またそのバランスを取るために、発光色毎に電流を供給する量を変えなければならないため、多く電流を供給した画素の劣化が他の画素に比べて早く生じるという課題が起きる。
【００４１】
また、１つの表示単位領域におけるＲ画素、Ｇ画素、Ｂ画素の配置位置は、通常表示装置における総ての表示単位領域について同じである場合が多い。このため、表示素子を構成する機能層を、機能液の塗布によって形成する場合、表示されたカラー画像に規則的な表示ムラが発生してしまうことがある。これを、図４を用いて説明する。
【００４２】
図４は、Ｒ、Ｇ、Ｂの各画素について、行方向にＲ、Ｇ、Ｂの順に規則正しく配列された各画素から成る表示単位領域が８つ形成された表示装置１００を示す模式図である。そして、機能層を機能液の噴射によって塗布する場合、列方向を移動方向として移動する噴射ヘッドに設けられ行方向に並んだノズルから、対応するそれぞれの色の画素領域にＲ、Ｇ、Ｂの各機能液を噴射する。例えば、図面左側において列方向に並んだ４つの表示単位領域においては、総てのＢ画素については、ノズルＮＢ１からＢ機能液が噴射される。一方、図面右側において列方向に並んだ４つの表示単位領域においては、総てのＢ画素については、ノズルＮＢ２からＢ機能液が噴射される。
【００４３】
ここで、ノズルＮＢ１から噴射される機能液の液量と、ノズルＮＢ２から噴射される機能液の液量とが、ノズルの口径の違いや噴射時の機能液の噴射速度などといった噴射状態に起因して異なる場合が少なからず存在する。このような場合、形成される機能層の厚さが、図面左側の総てのＢ画素と、図面右側の総てのＢ画素との間で異なることになる。特に機能層として発光層の厚さが異なった場合は、表示特性が異なってしまう。この結果、例えば各画素に印加される電流が同じであっても、図面左側の４つのＢ画素の発光輝度と、図面右側の４つのＢ画素の発光輝度とが異なるために、表示された画像には、Ｂ画素の配列に応じた輝度ムラが表示ムラとして生じてしまうことになる。このように、表示素子を構成する機能層を機能液の塗布によって形成する場合、表示されたカラー画像に規則的な表示ムラが発生してしまうことがある。
【００４４】
そこで、本実施例では、上述した課題を解決するように、表示単位領域において、少なくとも発光効率の低い１つの発光色について画素数を増やすとともに、その配列位置を、隣り合う表示単位領域間において互いに異なるようにするのである。これについて、図５を用いて説明する。
【００４５】
図５は、１つの表示単位領域を、行方向に２画素、列方向に２画素の計４つの画素領域によって構成し、発光色Ｂが、他の発光色Ｒ，Ｇよりも発光効率が低いものとして、２つのＢ画素を形成したものである。従って、本実施例では、図示するように、表示装置１００には６つの表示単位領域Ｅ１〜Ｅ６が形成され、それぞれの表示単位領域Ｅ１〜Ｅ６は、１つのＲ画素と、１つのＧ画素と、２つのＢ画素とから構成されている。そして、各表示単位領域Ｅ１〜Ｅ６において、隣り合うそれぞれの単位画素領域間では、２つのＢ画素の位置が異なるように配列されている。本実施形態では１つの表示単位領域を構成する各画素には、個別に表示素子を発光駆動する駆動素子が形成されているため、２つのＢ画素の位置が異なるように配列することが容易である。
【００４６】
ところで、１つの表示単位領域を構成する各画素には、前述したように個別に表示素子を発光駆動する駆動素子が形成されている。従って、１つの表示単位領域が表示画像の１つの表示エレメントとなるように、走査駆動回路１１とデータ駆動回路１２とによって、発光輝度に応じた電流がこれらの駆動素子に対して印加される。こうして、それぞれの駆動素子によって表示素子を個別に発光駆動することによって、各表示単位領域は１つの表示エレメントして機能する。
【００４７】
本実施例では、このように発光効率が他の発光色よりも低いブルー（Ｂ）を１つの発光色とし、発光色Ｂを発光する発光層つまりＢ画素を２つ形成する。従って、発光色Ｂの発光面積は２倍となるので、同じ輝度を得ようとする場合、Ｂ画素が１つの場合に比べて、Ｂ画素の発光層に印加する電流を低減することが可能となる。このため、Ｂ画素の寿命が延びることになる。
【００４８】
また、２つ形成されたＢ画素の配置位置が、隣り合う表示単位領域間で異なるようにするので、Ｂ画素の配置パターンを不規則なパターンとすることができる。このとき、Ｂ画素の配置パターンが異なることによって、他のＲ画素およびＧ画素の位置も変化することになる。この結果、総ての発光色の配置はランダムになり、表示装置が表示する画像について表示ムラを抑制することができるという効果を奏する。これについて、図６を用いて説明する。
【００４９】
図６は、図５に示した画素配列を有する表示装置１００について、各画素領域にＲ、Ｇ、Ｂの各発光材料含むＲ機能液、Ｇ機能液、Ｂ機能液を噴射によって塗布する様子を示した説明図である。図示するように、列方向を移動方向として移動する噴射ヘッドに設けられ、行方向に並んだノズルから、各画素領域にＲ、Ｇ、Ｂの各機能液をそれぞれ噴射することによって、Ｒ、Ｇ、Ｂの各画素を形成する。
【００５０】
このとき、本実施例では、図から明らかなように、各表示単位領域Ｅ１〜Ｅ６に形成された２つのＢ画素（図中濃い網掛け部）は、列方向に位置する２つの表示単位領域（例えば表示単位領域Ｅ１と表示単位領域Ｅ４）において、異なるノズルから噴射されるＢ機能液によって機能層が形成される。従って、Ｒ、Ｇ、Ｂが繰返して規則正しく配列される場合と異なり、ノズル間において機能液の噴射量に差異が発生する場合であっても、同じ発光色の画素が列方向に一列に並ぶことがないので、表示された画像にＢ画素の配列に応じた縦方向の輝度ムラが生じることはない。
【００５１】
なお、本実施例では、Ｂ画素以外のＲ画素やＧ画素についても、列方向に位置する２つの表示単位領域（例えば表示単位領域Ｅ２と表示単位領域Ｅ５、あるいは表示単位領域Ｅ３と表示単位領域Ｅ６）において、異なるノズルから噴射されるＲ機能液あるいはＧ機能液によって機能層が形成される。従って、Ｒ、Ｇ、Ｂが繰返して規則正しく配列される場合と異なり、ノズル間において機能液の噴射量に差異が発生する場合であっても、同じ発光色の画素が列方向に一列に並ぶことがないので、表示された画像にＲ、Ｇ、Ｂの各画素の配列に応じた縦方向の輝度ムラが生じることはない。
【００５２】
上述したように、本実施例によれば、複数形成した１つの発光色の発光層の配置位置が、隣り合う表示単位領域間で異なるようにするので、１つの発光色の画素の配置パターンを不規則なパターンとすることができる。この結果、他の発光色も含めて各発光色の画素位置がランダムになり、表示装置が表示する画像について表示ムラを抑制できるという効果を奏する。
【００５３】
また、１つの発光色について複数の発光層を形成し、それぞれの発光層について個別に発光駆動するため、同じ発光色の画素を複数の表示単位領域間で不規則に配置することが容易になる。
【００５４】
なお、本実施例では、表示装置１００に形成された画素数を増やすことなく、１つの表示単位領域を構成する画素数を多くすることによって、ホワイトバランスを補正することとして説明したが、もとより、表示装置１００に形成する画素数を増やすことが好ましい。画素数を増やさないと、表示装置１００が有する表示エレメントの数が減少してしまうことになり、表示装置１００が表示する画像の解像度が低下してしまうことになるからである。また画素数を増やす場合であっても、画素の形状も長円形に限らず他の形状としてもよいことは言うまでもない。
【００５５】
以上、本発明について、実施例を用いて説明したが、本発明はこうした実施例に何ら限定されるものではなく、本発明の趣旨を逸脱しない範囲内において様々な形態で実施し得ることは勿論である。以下変形例を挙げて説明する。
【００５６】
（第１変形例）
上記実施例では、１つの発光色（発光色Ｂ）について２つの画素を形成することとしたが、１つの表示単位領域における各発光色の画素数を異なるようにしてもよい。こうすれば、総ての発光色について寿命が短くなることを抑制しつつ、ホワイトバランスの補正を行うことが可能となる。
【００５７】
一般的に発光層の発光効率は、発光色に依存する。これは、発光層が異なる発光材料によって形成されることに起因する。つまり、異なる発光材料によって発光層が形成された画素領域は、互いに発光効率が異なるため、表示単位領域においてホワイトバランスが悪くなる。この結果、所望する表示性能が得られない。そこで、発光色に応じて画素数を異ならしめることによって、表示単位領域におけるホワイトバランスを改善する。
【００５８】
本変形例を、図７を用いて説明する。図７は、１つの表示単位領域が６つの画素領域によって構成され、合計４つの表示単位領域を有する表示装置１００を示した模式図である。図示するように、それぞれの表示単位領域は、１つのＲ画素、２つのＧ画素（図中、粗い網掛け部）、３つのＢ画素（図中、濃い網掛け部）によって構成され、隣り合う表示単位領域間では、それらの画素位置が互いに異なるように配列されている。
【００５９】
このように本変形例によれば、図７に示したように画素数を発光色毎に異ならせることによって、発光寿命の短命化を抑制しつつホワイトバランスを補正することが可能となる。
【００６０】
（第２変形例）
上記実施例では、１つの表示単位領域において、発光効率が低い発光色の画素について複数の画素から構成されるようにしたが、発光効率が低くない発光色であっても、発光寿命が短い場合は、複数の画素から構成されることとしてもよい。こうすれば、各発光色について、ほぼ同じ寿命にすることができるので、表示装置として好ましい。
【００６１】
発光層の発光寿命は、発光効率と同様に、発光色に依存する。これは、発光層が異なる発光材料によって形成されることに起因する。つまり、異なる発光材料によって発光層が形成された画素領域は、互いに発光寿命が異なることが想定されるからである。そこで、発光色に応じて画素数を異ならしめることによって、表示単位領域における表示寿命を改善することができる。
【００６２】
具体的に、発光寿命を同じにするためには、発光効率の場合と同様に、寿命の短い発光色の画素を表示単位領域に複数形成する。そして、形成した複数の画素に印加する電流を低下させるのである。例えば、寿命の短い発光色がレッド（Ｒ）であったとすると、１つの表示単位領域においてＲ画素を２つ形成する。そして、２つのＲ画素によって発光面積が２倍になることによって、印加電流を抑制しても、他の色の発光画素と発光輝度のバランスを取ることが可能になり、発光寿命を長くすることが可能となる。
【００６３】
（第３変形例）
上記実施例または変形例では、形成される発光層が、発光材料によって発光効率若しくは発光寿命の一方が異なる場合を想定したが、両方同時に異なる場合も想定される。そこで、本変形例では、このような場合を想定し、１つの表示単位領域において、総ての発光色について複数の画素から構成されることとしてもよい。こうすれば、発光効率が低い発光色と発光寿命が短い発光色について、同時に輝度補正および寿命改善を行うことが可能となる。
【００６４】
本変形例を、図８を用いて説明する。図８は、１つの表示単位領域が９つの画素領域によって構成され、合計６つの表示単位領域を有する表示装置１００を示した模式図である。図示するように、それぞれの表示単位領域は、３つのＲ画素、３つのＧ画素、３つのＢ画素によって構成され、隣り合う表示単位領域間では、それらの画素位置が互いに異なるように配列されている。
【００６５】
本変形例は、Ｒ、Ｇ、Ｂ各画素の発光効率や発光寿命の複合的なバランスより、Ｒ、Ｇ、Ｂ各画素の画素数が同じ場合である。上記実施例のようにＲ、Ｇ、Ｂ各画素の画素数が異なっていても良い。
【００６６】
また、上記実施例とは異なり、総ての発光色について複数の画素を有することから、発光色Ｂに限らず発光色Ｒ，Ｇについても、隣り合う表示単位領域間での画素位置を異ならしめることが容易である。ちなみに、図８では、Ｂ画素について各表示単位領域における配置状態を例示した。図示するように、Ｂ画素は容易にランダムに配置することができる。この結果、前述したように噴射される機能液のノズル位置が異なることによって表示ムラを抑制する確率が高くなる。
【００６７】
もとより、本変形例を、形成される発光層が、発光材料によって発光効率若しくは発光寿命が異なるか否かに関わらず実施することとしてもよい。総ての発光色について複数の画素を有するようにすれば、隣り合う表示単位領域間での各発光色の画素位置を異ならしめることが容易である。この結果、前述したように噴射される機能液のノズル位置が異なることによって表示ムラを抑制することが可能である。
【００６８】
（その他の変形例）
上記実施例では、表示単位領域の形状は矩形形状になるものとして説明しているが、必ずしもこれに限るものでないことは勿論である。例えば、六角形や三角形であっても差し支えない。１つの表示単位領域を構成する画素数に応じて、各表示単位領域の形状を決定すればよい。もとより、行方向と列方向とで同じピッチ間隔を有する表示エレメント（例えば正方形）になるように、各表示単位領域を形状することが望ましい。こうすれば、行方向と列方向とで同じ解像度の画像を表示することが可能となる。
【００６９】
また、上記実施例では、画素領域は総て同じ形状（長円形状）としたが、必ずしもこれに限るものものでないことは勿論である。例えば、画素領域の面積が総て同じであれば、総て同じ形状でなくてもよいし、総て異なる形状であってもよい。面積が同じであれば、それぞれの画素領域に噴射される機能液によって形成される発光層の厚さはほぼ同じになる。従って、形成される発光色の位置が表示単位領域毎に異なっていても、形成される発光層の厚さは同じになるので、画素領域が総て同じ形状の場合と同様に、各画素について同じ厚さの発光層を形成することができる。
【００７０】
また、上記実施例では、発光素子を構成する発光層は、液滴の噴射によって塗布形成するものとして説明したが、特にこれに限るものでないことは勿論である。例えば、蒸着によって形成することとしてもよい。発光層を蒸着によって形成した場合、蒸着対象物の温度や場所の違いによって蒸着材料の付着量が異なるため、形成される発光層の厚さが異なることが起こり得る。このような場合、機能液の噴射によって塗布形成する場合と同様に、表示ムラが発生することになる。なお、この場合は、各画素領域の面積は必ずしも同じでなくてもよい。蒸着によって形成される発光層の厚さは、画素領域の面積に依存しないからである。
【００７１】
上記実施例では、表示素子の発光光の射出方向を陰極側とするトップエミッション方式であることとして説明したが、これに限らず、表示素子の発光光の射出方向を基板側とするボトムエミッション方式であることとしてもよい。この場合、基板の材料は光透過性を有する材料（例えばガラス）とすればよい。また、ＴＦＴなどの駆動素子は、発光素子と平面的に重ねることが出来ないため、基板と表示素子との間にデバイス層が介在しないことになる。
【００７２】
また、上記実施例では、エレクトロルミネッセンス素子として有機ＥＬ素子を形成することとし、液滴の噴射によって塗布して形成する機能層が、正孔注入層と発光層であることとして説明したが、必ずしもこれに限るものでないことは勿論である。例えば、陰極とは別に電子注入層を形成する場合は、この電子注入層を液滴の噴射によって形成する機能層としてもよい。あるいは発光層が正孔注入層を兼用する場合は、発光層のみが液滴の噴射によって塗布形成される機能層であることとしてもよい。また、エレクトロルミネッセンス素子として有機ＥＬ素子に限らず、無機ＥＬ素子であっても差し支えない。
【００７３】
また、上記実施例では、表示素子としてエレクトロルミネッセンス素子を形成する場合を説明したが、表示素子として機能するものであれば、必ずしもこれに限るものでないことは勿論である。例えば、画素領域に発光ダイオードを形成する場合としてもよい。勿論この場合は、形成される機能層は上記実施例とは異なることは言うまでもない。
【００７４】
上記実施例では、携帯電話に搭載される表示装置として説明したが、これに限らず携帯電話以外の電子機器に搭載されることとしてもよい。例えばビデオカメラやデジタルカメラ、あるいは携帯型パーソナルコンピュータなど、ホワイトバランスの良く発光寿命の長い表示が所望される電子機器には本実施例および変形例の表示装置は好適である。
【図面の簡単な説明】
【００７５】
【図１】本発明の一実施例となる表示装置を搭載した携帯電話を示した説明図。
【図２】本実施例の表示装置の全体のレイアウトを回路構成とともに示した模式図。
【図３】本実施例の表示装置の画素構成を説明するための模式図で、（ａ）はその平面図、（ｂ）はその断面図、（ｃ）は機能液を噴射するときの様子を示す模式図。
【図４】Ｒ、Ｇ、Ｂ各画素が規則的に並んだ表示単位領域が形成された表示装置を示す模式図。
【図５】本実施例の画素配列を説明する説明図。
【図６】図５に示した画素配列を有する表示装置について、各画素領域にＲ、Ｇ、Ｂの各発光材料含む機能液を噴射によって塗布する様子を示した説明図。
【図７】第１変形例の表示装置を説明するための模式図。
【図８】第３変形例の表示装置を説明するための模式図。
【符号の説明】
【００７６】
１…携帯電話、１０…基板、１１…走査駆動回路、１２…データ駆動回路、１３…給電端子、１４，１５…ＴＦＴ、１６…保持容量、２０…デバイス層、１００…表示装置、１１０…反射層、１２０…陽極、１３０…無機絶縁膜、１４０…正孔注入層、１５０…Ｒ発光層、１６０…Ｇ発光層、１７０…Ｂ発光層、１８０…陰極。
【図１】
0004973438.tif 000002
【図２】
0004973438.tif 000003
【図３】
0004973438.tif 000004
【図４】
0004973438.tif 000005
【図５】
0004973438.tif 000006
【図６】
0004973438.tif 000007
【図７】
0004973438.tif 000008
【図８】
0004973438.tif 000009